(57)【要約】  【課題】運転者にグレア等を生じさせないようにするとともに、路面輝度を確保して運転者が運転し易いようにするものためのルーバを備えた高欄および遮音壁などに設置し得る照明器具であって、ランプ交換などの際にルーバを取り外すことなくランプ交換を行うことができる照明装置を提供することを目的とする。  【解決手段】道路などの両側に配設される高欄に設置される照明装置において、開口部の枠部または透光性カバーに配設され、透光性カバーと３度以上２０度以下の対向角を有して下方に傾向している横羽ルーバを設けた。  【選択図】  図１
2007035292.tif 000002
【特許請求の範囲】
【請求項１】
開口部を有している器具本体と；
器具本体の開口部を覆うように設置される枠部と；
枠部内に配設される透光性カバーと；
器具本体内に設けられる反射体と；
反射体に光学的に対向して配設される光源ランプと；
枠部とともに配設され、透光性カバーとが３度以上２０度以下の対向角を有して下方に傾向している横羽ルーバと；
を具備していることを特徴とする照明器具。
【請求項２】
開口部を有している器具本体と；
器具本体の開口部を覆うように設置される透光性カバーと；
器具本体内に設けられる反射体と；
反射体に光学的に対向して配設される光源ランプと；
透光性カバーとともに配設され、透光性カバーとが３度以上２０度以下の対向角を有して下方に傾向している横羽ルーバと；
を具備していることを特徴とする照明器具。
【発明の詳細な説明】
【技術分野】
【０００１】
本発明は、道路およびトンネルなどの高欄および遮音壁などに設置し得る照明器具に関する。
【背景技術】
【０００２】
従来からこのような照明器具は、道路等に両側に設けられた例えばコンクリート製欄干（高欄）の上部あるいは遮音壁に設置されるものである。このような照明器具では、運転者にグレア等を生じさせないようにするとともに、路面輝度を確保して運転者が運転し易いようにするものである。
このような照明器具は、道路等の両側の運転者の目線の高さ付近の位置（例えば、約０．８ｍ〜５ｍ）から道路の路面を照射するように設けられている。このため、運転者へのまぶしさを低減する、周囲への光漏れを低減させる、しかも、路面上は最適な照度を得ることが必要であるから高欄照明器具の光源からの光を制御することが重要となっている。
このために、特許文献１および特許文献２のように道路の路面上の照度を確保しながら、運転者等へのまぶしさを低減する、周囲への光漏れをなどの状況に適した照明器具の配光を簡単な方法で制御可能であるために、この種の照明器具にルーバを取り付けた照明器具を開示している。
【特許文献１】特開２００３−１０９４２２号公報
【特許文献２】特開２００４−１０３２７０号公報
【発明の開示】
【発明が解決しようとする課題】
【０００３】
しかしながら、上述した従来の高欄照明器具は、ルーバは、透光性カバーと光源の間に配置されており、ランプ交換の際には、透光性カバーを開いて、さらにルーバの取り外しをしないとランプを交換することができず、メンテナンス作業が煩雑になる問題があった。
【０００４】
さらに、ルーバは透光性カバーと所定の傾きを有して設置されているのでランプ交換後、ルーバを所定の角度を持って固定させなければならず、作業が煩雑である。
【０００５】
このため、運転者にグレア等を生じさせないようにするとともに、路面輝度を確保して運転者が運転し易いようにするものためのルーバを備えた高欄および遮音壁などに設置し得る照明器具であって、ランプ交換などの際にルーバを取り外すことなくランプ交換を行うことができる照明装置を提供することを目的とする。
【課題を解決するための手段】
【０００６】
請求項１の発明の照明器具は、長手方向の１側面に開口部を有している器具本体と；器具本体の開口部を覆うように設置される枠部と；枠部内に配設される透光性カバーと；器具本体内に設けられる反射体と；反射体に光学的に対向するとともに、開口部と対向して配設される光源ランプと；枠部とともに配設され、透光性カバーと５度以上の対向角を有して下方に傾向している横羽ルーバと；を具備している。
【０００７】
請求項２の発明の照明器具は、長手方向の１側面に開口部を有している器具本体と；器具本体の開口部を覆うように設置される透光性カバーと；器具本体内に設けられる反射体と；反射体に光学的に対向するとともに、開口部と対向して配設される光源ランプと；透光性カバーとともに配設され、透光性カバーと５度以上の対向角を有して下方に傾向している横羽ルーバと；を具備している。
【０００８】
各発明において、特に指定しない限り、用語の定義および技術的な意味は次による。
【０００９】
器具本体は、断面が略四角、円形および楕円状の長手方向に長筒状等とすることができる。長筒状を形成する側面に略長四角の開口部を有している。器具本体を長い筒状とするのは、道路照明に利用する際、器具の灯数を少なくしながら、道路全体にわたって均一な配光を得るためである。
【００１０】
透光性カバーは、強化ガラスおよびポリカーボネイト等の透光性プラスチックによって形成される。また、透光性カバーは外面および内面のいずれか一方または両方に、光制御用の手段たとえばプリズム、レンズまたは光拡散用の多数の凸部または凹部などを形成することも許容する。また、透光性カバーの外表面に光触媒機能や反射防止膜機能を有する酸化チタンなどの薄膜を塗布することもできる。
【００１１】
透光性カバーは、前面カバーの枠部によって取付けることもできる。枠部と透光性カバーの間には、防雨性を保つためパッキンなどを有することを許容する。
【００１２】
ルーバは、透光性カバーまたは透光性カバーを取付ける枠部に固定される。ルーバは路面と略水平に取付けられる複数の横羽を路面と略垂直に取付けられる基体に溶接するまたは横羽となる部分を折曲して形成することができる。ルーバの基体は少なくとも横羽の両端に嵌合されていることが望ましく、透光性カバーの幅によっては横羽が重力によって撓まないように、基体のほかに数本の補助基体を設けることも許容する。
【００１３】
複数の横羽は、透光性カバーに向かって若干下向きにそれぞれの横羽が水平になるように配置され、かつそれぞれの横羽は、開口部の下方にしたがって奥方向に設置される。そうして、透光性カバーと５度以上の対向角を有して下方に傾向するように横羽をそれぞれ配置する。それぞれの横羽は程同じ形状の長い板状のものを使用することが好ましいが、横羽の形状、枚数などのルーバの形状などは、照明器具の設置される状況に応じて選択することができるものである。
【００１４】
透光性カバーは開口部を覆って構成されるまたは、透光性カバーを枠体取り付けて枠体とともに開口部を覆って構成される。透光性カバーを枠体に取り付ける際には枠体と透光性カバーの間には防雨性を保つためのパッキンが挿入される。さらには、枠体と器具本体の間または、枠体を用いない場合であっては透光性カバーと器具本体との間にもまた、防雨性を保つためパッキンなどが挿入されている。
【００１５】
反射体は、所望の配光を形成するために用いられ、光源ランプの種類および所望の配光によって様々な形状および構造を採用することができる。たとえば、単一構造の反射体、複数に分離分割された反射体などを用いることができる。また、要すれば照明器具本体の内面を反射体として作用させることができる。さらに、反射体の表面は、鏡面および光拡散面たとえば白色系の面のいずれであってもよい。また、反射体は、照明器具本体および照明器具の前面カバーのいずれの側に装着してもよい。また、光源ランプを反射体に装着可能な構成にすることも許容する。
【００１６】
光源ランプは、既知の各種光源ランプから任意に選択して用いることができる。たとえば、蛍光ランプおよび低圧ナトリウムランプなどの低圧放電ランプ、高圧ナトリウムランプ、メタルハライドランプおよび水銀ランプなどの高圧放電ランプおよび電球などを用いることができる。道路に設置される高欄照明器具は、器具の灯数を少なくしながら、道路全体にわたって均一な配光を得ることが求められるため、高効率の高周波点灯蛍光ランプを光源として用いることが好ましい。
【発明を実施するための最良の形態】
【００１７】
本発明の第一の実施形態であるトンネル用照明器具を図１ないし２を参照して説明する。図１は、本発明の第一の実施形態であるトンネル用照明器具の断面図、図２は同じく正面図を表している。
【００１８】
図において、照明器具は、幅１３０ｍｍ、高さ２４０ｍｍ、長さが約１３００ｍｍの略長箱形の器具本体１、この器具本体１の前面に開閉自在に取り付けられる前面カバー２、そして器具本体１の内部に収容される反射板３、高周波点灯専用形蛍光ランプ４Ａおよび点灯装置４Ｂで構成されている。まず、器具本体１は、前面に開口部を形成して筒状にアルミの押し出し材によって形成する周側面部１Ｈ、側面部１Ｈを包囲する左側面１Ｌおよび右側面１Ｒ、左右側面１Ｌ、１Ｒの側面に配設される電源線引き込み用防水コネクタ１Ｇを有してなる。周側面部１Ｈには器具本体１を高欄７などの上面に取り付けるための支持脚６が取付けられる。なお、電源線引き込み用防水コネクタ１Ｇは、防水形のもので使用する電源線の外形寸法に適合した、例えば合成樹脂で形成されている。
【００１９】
前面カバー２は、外寸が器具本体の開口部内寸とほぼ同等に形成される枠部２ａ、枠部２ａ内に配設される透光性カバー２ｂにて構成されている。枠部２ａと透光性カバー２ｂの取り付け周には防雨性のパッキン２ｅが取付けられる。そして、この前面カバー２は、前記開口部を覆うように配設される。前面カバー２と器具本体１は、前面カバー２の上辺の設けられた数個のヒンジ２ｃと前面カバーの下辺部分に設けられた一対のパチン錠２ｄよって取り付けられている。なお、ヒンジ２ｃ、パチン錠２ｄなどの取り付け部材は、例えば、錆びにくいステンレス製のものがよく、また、器具本体１への取付では、シリコンゴムパッキン２ｆによる防水処理を施している。
【００２０】
透光性カバー２ｂは、強化ガラスからなりその表面には光触媒機能を呈する二酸化チタン膜などを塗布してもよい。枠体２ａの器具内面側にはルーバ４が取り付けられる。
【００２１】
反射板３は、例えば、アルミニウムまたはアルミニウム合金等の反射特性のよいもので形成され、器具本体１内の長手方向に配設されている。本実施形態では主反射板３ａと補助反射板３ｂの２枚を利用して効率よく光を照射するようにしている。
【００２２】
また、高周波点灯専用形蛍光ランプ４Ａは、この反射手段３に光学的に対向するとともに、運転者の目に直接ランプ４Ａからの照射が入らないように、器具本体１の上側面１ｃ側であって、前記枠部２ａと対向して配設されている。なお、このランプ４Ａ（型名ＦＨＦ３２）の初特性は、全光束４，３７０（ｌｍ）、定格寿命１２，０００（ｈ）およびランプ電力４５（Ｗ）であり、小形で十分な路面輝度を得るのに好適である。
【００２３】
前記高周波点灯専用形蛍光ランプ４Ａを点灯する点灯装置４Ｂは、器具本体１の下側面側のほぼ中央部に配設されている。また、点灯装置４Ｂと蛍光ランプ４Ａは端子台（図示しない）によって電気的に接続される。支持脚６は、器具本体１と道路（図示しない）などの両側に設置されている高欄７上面と固着する。
【００２４】
図３は、ルーバ５の詳細部分図、図４はこのルーバ５の組立ての様子を示す組立図である。ルーバ５は、長尺の幅約３０ｍｍの板状に形成された複数枚の横羽５ａ１〜５ａｎを、基体５ｂに若干透光性カバー２ａに向かって下方向に向くようにそれぞれ平行に取付けられる。また、横羽５ａ１〜５ａｎが長尺なためたわむのを抑制するため複数の補助基台５ｃが等間隔に設けられている。
【００２５】
このとき、横羽５ａ１〜５ａｎの基体５ｂへの取付は、基体５ｂに横羽５ａ１〜５ａｎが挿入できる切欠きを形成し、その切欠きに横羽５ａ１〜５ａｎに設けた溝を嵌合させるように挿入することで形成することができる。横羽５ａ１〜５ａｎの両端に取付ける基体５ｂのほか、補助基体５ｃについても同じ要領で取付ける事ができる。さらに、横羽５ａ１〜５ａｎと基体５ｂおよび補助基体５ｃとはスポット溶接などで溶接して固定する。
【００２６】
基体５ｂは透光性カバー２ａの内表面に垂直に取り付けられる。そうして、ルーバ５の横羽５ａ１〜５ａｎが、それぞれ照明器具の下方向に取付けられるにしたがって器具の奥側に傾斜して設置されている。つまり、一番上側に取付けられた横羽５ａ１よりもその下の横羽５ａ２が器具の奥側（背面側）に向かって奥に取付けられており、その下の横羽５ａ３も横羽５ａ２よりも奥に設置されている。そうして、横羽５ａ１〜５ａｎの透光性カバー２ａ側の側面を結ぶ面が透光性カバー２ａの内表面となす角度が３度以上２０度以下である。（さらに、好ましくは５°〜１５°である）。本実施形態ではルーバ５の高さが約２６０ｍｍの間に８枚のルーバ５ａを透光性カバー２ａの内面となす角を約５度奥になるようにしている
【００２７】
このように、することによって、前面カバーと２とルーバ５が固定されて形成されたため、ランプ交換などのメンテナンスの際に前面カバーを開閉するだけで光源のランプを交換することができるため、従来のように前面カバーを開放し、その後ルーバを取り外してからランプ交換を行うというメンテナンス作業のルーバの取り外しの工程を低減させることができメンテナンス作業が簡略化できる。
【００２８】
また、ルーバ５の横羽５ａ１〜５ａｎが下方に向いてそれぞれの横羽５ａ１〜５ａｎが透光性カバー２ａ側の側面を結ぶ面が透光性カバー２ａの内表面となす角度が３度以上２０度以下となるように傾斜して設けることによってランプ４ａからの光がこの照明器具よりも上方に向かうことなく光の配光を制限できるので、道路などの両側に設けられる高欄７にこの照明器具を取り付けた場合には、道路を往来する運転者に光源の光が直接に眼に入ることが無く、運転者の運転を妨げることなく、道路面を均一に照射できる照明装置を提供することができるものである。
【００２９】
図５は本発明の第２の実施形態の照明器具の断面図である。なお、図１ないし図４と同一部分については同一符号を付して説明を省略する。本実施形態では、前面カバー２に枠体は設けられておらず、透光性カバー２ｂが直接照明器具の開口部を覆っている。また、枠部を設けていないのでルーバ５はルーバ５の基体５ｂを直接透光性カバー２ｂを貫通させた固定ネジ２ｇで固定している。このとき図示していないが、固定ネジ２ｇの周囲の防水性を高めるためにシリコンなどの樹脂でネジ２ｇに周囲をふさいでいる。
【図面の簡単な説明】
【００３０】
【図１】本発明の第１の実施形態の照明器具の断面図。
【図２】同じく正面図。
【図３】同じくトンネル用照明器具のルーバの斜視図。
【図４】同じくルーバの組立状態を表す組立図。
【図５】本発明の第２の実施形態の照明器具の断面図。
【符号の説明】
【００３１】
１…器具本体、  ２…透光性ガラス  ２ａ・・・枠体  ４ａ・・・蛍光ランプ  ５・・・ルーバ  ６・・・取付脚  ７・・・高欄
【図１】
2007035292.tif 000003
【図２】
2007035292.tif 000004
【図３】
2007035292.tif 000005
【図４】
2007035292.tif 000006
【図５】
2007035292.tif 000007